(57)【要約】【課題】  従来の冗長構成は、装置自体が異常状態に陥った場合に対応できなかった。【解決手段】  本発明は、ユーザデータを冗長して送受信可能な伝送装置を複数台配置し、伝送装置は、通信先装置との間でユーザデータを送受信するデータ通信手段と、通信路異常または自装置異常を検出する異常検出手段と、複数の伝送装置間で制御フレームを送受信する制御フレーム通信手段と、異常検出手段が異常を検出した場合に予備系の伝送装置への切り替えを行う制御手段とを有し、制御手段は、自装置が運用系の伝送装置である場合、且つ、異常検出手段が異常を検出した場合、ユーザ側ポートを閉塞する処理と、制御フレーム通信手段により予備系の伝送装置に運用系への状態変更を指令する制御フレームを送信する処理と、状態変更を指令する制御フレームを受信した場合にユーザ側ポートを開放する処理とを実行することを特徴とする。【選択図】図６
2012231223.tif 000002
【特許請求の範囲】
【請求項１】
ユーザ側に配置された伝送装置からネットワークを介して通信先装置にアクセスするアクセスシステムにおいて、
ユーザデータを冗長して送受信可能な前記伝送装置を複数台配置し、
前記伝送装置は、
前記通信先装置との間でユーザデータを送受信するデータ通信手段と、
通信路異常または自装置異常を検出する異常検出手段と、
前記複数の伝送装置間で制御フレームを送受信する制御フレーム通信手段と、
前記異常検出手段が異常を検出した場合に、予備系の前記伝送装置への切り替えを行う制御手段と
を有し、
前記制御手段は、自装置が運用系の前記伝送装置である場合、且つ、前記異常検出手段が異常を検出した場合、自装置のユーザ側ポートを閉塞する処理と、前記制御フレーム通信手段により予備系の伝送装置に運用系への状態変更を指令する制御フレームを送信する処理と、前記状態変更を指令する制御フレームを受信した場合に自装置のユーザ側ポートを開放する処理と
を実行することを特徴とするアクセスシステム。
【請求項２】
請求項１に記載のアクセスシステムにおいて、
前記異常検出手段は、前記通信先の伝送装置との間で前記データ通信手段を介して特定フレームを定期的に送受信し、前記通信先の伝送装置から前記特定フレームが受信されない場合に伝送路異常と判断する
ことを特徴とするアクセスシステム。
【請求項３】
請求項１に記載のアクセスシステムにおいて、
前記データ通信手段は、通信先装置との間でセグメント単位でユーザデータを送受信し、
前記異常検出手段は、前記セグメント単位での通信路異常または自装置異常を検出し、
前記制御フレーム通信手段は、前記複数の伝送装置間で前記セグメント毎のユーザデータを迂回して送受信し、
前記制御手段は、自装置が前記セグメントに対する運用系の前記伝送装置である場合、且つ、当該セグメントの異常を前記異常検出手段が検出した場合、当該セグメントのユーザデータを前記制御フレーム通信手段により前記予備系の伝送装置に転送する処理を行い、
前記予備系の伝送装置に転送された前記セグメントのユーザデータは、前記予備系の伝送装置の前記データ通信手段から前記通信先装置に送信される
ことを特徴とするアクセスシステム。
【請求項４】
請求項１から３に記載のアクセスシステムにおいて、
前記予備系の伝送装置の前記異常検出手段は、前記通信先の伝送装置との間で前記データ通信手段を介して特定フレームを定期的に送受信し、前記通信先の伝送装置から前記特定フレームが受信されない場合に伝送路異常と判断し、
前記予備系の伝送装置の前記制御手段は、伝送路異常であることを示す制御フレームを前記運用系の伝送装置に送信する処理を行い、
前記運用系の伝送装置の前記制御手段は、前記予備系の伝送装置から伝送路異常であることを示す制御フレームを受信した場合は前記予備系の伝送装置への切り替え処理を実行しない
ことを特徴とするアクセスシステム。
【請求項５】
請求項１から４に記載のアクセスシステムにおいて、
前記運用系の伝送装置と前記予備系の伝送装置との間で特定フレームを定期的に送受信して、
前記運用系の伝送装置の前記異常検出手段は、前記予備系の伝送装置から前記特定フレームを受信できない場合に予備系の伝送装置の異常と判断し、
前記運用系の伝送装置の前記制御手段は、前記予備系の伝送装置への切り替え処理を実行しない
ことを特徴とするアクセスシステム。
【請求項６】
ユーザ側に配置された伝送装置からネットワークを介して通信先装置にアクセスするアクセスシステムにおける冗長切替方法であって、
ユーザデータを冗長して送受信可能な前記伝送装置を複数台配置し、前記各伝送装置は、自装置が運用系の前記伝送装置である場合、且つ、通信路異常または自装置異常を検出した場合、自装置のユーザ側ポートを閉塞して、予備系の伝送装置に運用系に状態変更を指令する制御フレームを送信し、前記状態変更を指令する制御フレームを受信した場合に自装置のユーザ側ポートを開放する
ことを特徴とするアクセスシステムにおける冗長切替方法。
【請求項７】
請求項１に記載のアクセスシステムにおける冗長切替方法であって、
前記通信先の伝送装置との間で前記データ通信手段を介して特定フレームを定期的に送受信し、前記通信先の伝送装置から前記特定フレームが受信されない場合に伝送路異常と判断する
ことを特徴とするアクセスシステムにおける冗長切替方法。
【請求項８】
請求項１に記載のアクセスシステムにおける冗長切替方法であって、
前記伝送装置は、通信先装置との間でセグメント単位でユーザデータを送受信し、通信路異常または自装置異常を前記セグメント単位で検出し、自装置が前記セグメントに対する運用系の前記伝送装置である場合、且つ、当該セグメントの異常を検出した場合、当該セグメントのユーザデータは、前記予備系の伝送装置に転送され、前記予備系の伝送装置から前記通信先装置に送信される
ことを特徴とするアクセスシステムにおける冗長切替方法。
【請求項９】
請求項１から３に記載のアクセスシステムにおける冗長切替方法であって、
前記予備系の伝送装置は、前記通信先の伝送装置との間で前記データ通信手段を介して特定フレームを定期的に送受信し、前記通信先の伝送装置から前記特定フレームが受信されない場合に伝送路異常と判断し、伝送路異常であることを示す制御フレームを前記運用系の伝送装置に送信し、
前記運用系の伝送装置は、前記予備系の伝送装置から伝送路異常であることを示す制御フレームを受信した場合は前記予備系の伝送装置への切り替え処理を実行しない
ことを特徴とするアクセスシステムにおける冗長切替方法。
【請求項１０】
請求項１から４に記載のアクセスシステムにおける冗長切替方法であって、
前記運用系の伝送装置と前記予備系の伝送装置との間で特定フレームを定期的に送受信して、
前記運用系の伝送装置は、前記予備系の伝送装置から前記特定フレームを受信できない場合に予備系の伝送装置の異常と判断し、前記予備系の伝送装置への切り替え処理を実行しない
ことを特徴とするアクセスシステムにおける冗長切替方法。
【発明の詳細な説明】
【技術分野】
【０００１】
本発明は、伝送装置間で冗長を構成しているアクセスシステムに関する。
【背景技術】
【０００２】
近年、大容量で安価な情報通信サービスを利用できるイーサネット（登録商標）システムが注目されており、ネットワークに対する信頼性の要求も高まっている。ネットワークの信頼性を高める方法として、回線セレクタ方式やリンクアグリゲーション方式など、ネットワークを冗長構成にする技術が用いられている。
【０００３】
例えば、イーサネット（登録商標）システムは、多数のＬ２ＳＷ（レイヤー２スイッチ装置）が交換ノードとして接続され、ユーザのＶＰＮ（Ｖｉｒｔｕａｌ  Ｐｒｉｖａｔｅ  Ｎｅｔｗｏｒｋ）は、Ｌ２ＳＷのＶＬＡＮ（Ｖｉｒｔｕａｌ  ＬＡＮ）機能によって形成されている。そして、アクセス回線のＬ２ＳＷ内でネットワークを冗長構成にして、ネットワークの信頼性を高めるようにしている。
【０００４】
アクセス回線の冗長方式としては、Ｌ２ＳＷに回線セレクタを実装する方式１と、Ｌ２ＳＷでリンクアグリゲーション（ＬＡＧ）を構築する方式２の２つの方式がある。
【０００５】
方式１は、図１６（ａ）に示すようにアクセス回線のＬ２ＳＷ９０２に回線セレクタ９０３を実装して、ＰｏｒｔＡとＰｏｒｔＢの２経路（回線９０６、回線９０７）のアクセス回線のうち片側の回線のみを主信号の送受信に使用する冗長方式である。例えば、使用中の回線９０５のリンク断を検出すると片方の回線９０６へ切り替えが行われ、新たな回線９０６で主信号の送受信が行われる。
【０００６】
方式２は、図１７（ａ）に示すようにアクセス回線のＬ２ＳＷ９０２にリンクアグリゲーション機能を提供するブロック９０３ａを搭載して、ＰｏｒｔＡとＰｏｒｔＢの２経路（回線９０６、回線９０７）のアクセス回線をフレーム毎に切り替えて主信号の送受信を行うネットワーク冗長方式である。２つの経路を使用するので、例えば１つの経路でリンク異常を検出すると、残った経路で主信号の送受信が行われる。
【０００７】
このように、障害発生時に対応するための冗長化技術が用いられている。また、ＶＬＡＮを使用する場合は、障害発生時にＬ２ＳＷ装置内の切り替えで対応するのではなく、予備系のＶＬＡＮに切り替えるようにして冗長化を図る技術も考えられている（例えば、特許文献１参照）。
【先行技術文献】
【特許文献】
【０００８】
【特許文献１】特開２００３−１５８５３９号公報
【発明の概要】
【発明が解決しようとする課題】
【０００９】
ところが、従来の方式１では、図１６（ｂ）に示すように、Ｌ２ＳＷ９０２の装置自体に異常が発生した場合、切り替え動作やフレームの転送が正常に行われなくなる可能性がある。また、従来の方式２においても、図１７（ｂ）に示すように、Ｌ２ＳＷ９０２の装置自体に異常が発生した場合、切り替え動作やフレームの転送が正常に行われなくなる可能性がある。このように、従来の方式では、装置自体が異常状態に陥った場合に対応できず、ネットワークの信頼性が損なわれるという問題があった。
【００１０】
上記課題に鑑み、本発明の目的は、装置異常時に別の装置への切り替えを実施することによりネットワーク停止のリスクを抑制し、また異常状態にある特定セグメントのみ経路切り替えを実施することにより他セグメントへの影響を少なくし、ネットワークの信頼性を高めることができるアクセスシステムおよび冗長切替方法を提供することである。
【課題を解決するための手段】
【００１１】
本発明に係るアクセスシステムは、ユーザ側に配置された伝送装置からネットワークを介して通信先装置にアクセスするアクセスシステムにおいて、ユーザデータを冗長して送受信可能な前記伝送装置を複数台配置し、前記伝送装置は、前記通信先装置との間でユーザデータを送受信するデータ通信手段と、通信路異常または自装置異常を検出する異常検出手段と、前記複数の伝送装置間で制御フレームを送受信する制御フレーム通信手段と、前記異常検出手段が異常を検出した場合に、予備系の前記伝送装置への切り替えを行う制御手段とを有し、前記制御手段は、自装置が運用系の前記伝送装置である場合、且つ、前記異常検出手段が異常を検出した場合、自装置のユーザ側ポートを閉塞する処理と、前記制御フレーム通信手段により予備系の伝送装置に運用系への状態変更を指令する制御フレームを送信する処理と、前記状態変更を指令する制御フレームを受信した場合に自装置のユーザ側ポートを開放する処理とを実行することを特徴とする。
【００１２】
特に、前記異常検出手段は、前記通信先の伝送装置との間で前記データ通信手段を介して特定フレームを定期的に送受信し、前記通信先の伝送装置から前記特定フレームが受信されない場合に伝送路異常と判断することを特徴とする。
【００１３】
また、前記データ通信手段は、通信先装置との間でセグメント単位でユーザデータを送受信し、前記異常検出手段は、前記セグメント単位での通信路異常または自装置異常を検出し、前記制御フレーム通信手段は、前記複数の伝送装置間で前記セグメント毎のユーザデータを迂回して送受信し、前記制御手段は、自装置が前記セグメントに対する運用系の前記伝送装置である場合、且つ、当該セグメントの異常を前記異常検出手段が検出した場合、当該セグメントのユーザデータを前記制御フレーム通信手段により前記予備系の伝送装置に転送する処理を行い、前記予備系の伝送装置に転送された前記セグメントのユーザデータは、前記予備系の伝送装置の前記データ通信手段から前記通信先装置に送信されることを特徴とする。
【００１４】
さらに、前記予備系の伝送装置の前記異常検出手段は、前記通信先の伝送装置との間で前記データ通信手段を介して特定フレームを定期的に送受信し、前記通信先の伝送装置から前記特定フレームが受信されない場合に伝送路異常と判断し、前記予備系の伝送装置の前記制御手段は、伝送路異常であることを示す制御フレームを前記運用系の伝送装置に送信する処理を行い、前記運用系の伝送装置の前記制御手段は、前記予備系の伝送装置から伝送路異常であることを示す制御フレームを受信した場合は前記予備系の伝送装置への切り替え処理を実行しないことを特徴とする。
【００１５】
或いは、前記運用系の伝送装置と前記予備系の伝送装置との間で特定フレームを定期的に送受信して、前記運用系の伝送装置の前記異常検出手段は、前記予備系の伝送装置から前記特定フレームを受信できない場合に予備系の伝送装置の異常と判断し、前記運用系の伝送装置の前記制御手段は、前記予備系の伝送装置への切り替え処理を実行しないことを特徴とする。
【００１６】
本発明に係る冗長切替方法は、ユーザ側に配置された伝送装置からネットワークを介して通信先装置にアクセスするアクセスシステムにおける冗長切替方法であって、ユーザデータを冗長して送受信可能な前記伝送装置を複数台配置し、前記各伝送装置は、自装置が運用系の前記伝送装置である場合、且つ、通信路異常または自装置異常を検出した場合、自装置のユーザ側ポートを閉塞して、予備系の伝送装置に運用系に状態変更を指令する制御フレームを送信し、前記状態変更を指令する制御フレームを受信した場合に自装置のユーザ側ポートを開放することを特徴とする。
【００１７】
特に、前記通信先の伝送装置との間で前記データ通信手段を介して特定フレームを定期的に送受信し、前記通信先の伝送装置から前記特定フレームが受信されない場合に伝送路異常と判断することを特徴とする。
【００１８】
また、前記伝送装置は、通信先装置との間でセグメント単位でユーザデータを送受信し、通信路異常または自装置異常を前記セグメント単位で検出し、自装置が前記セグメントに対する運用系の前記伝送装置である場合、且つ、当該セグメントの異常を検出した場合、当該セグメントのユーザデータは、前記予備系の伝送装置に転送され、前記予備系の伝送装置から前記通信先装置に送信されることを特徴とする。
【００１９】
さらに、前記予備系の伝送装置は、前記通信先の伝送装置との間で前記データ通信手段を介して特定フレームを定期的に送受信し、前記通信先の伝送装置から前記特定フレームが受信されない場合に伝送路異常と判断し、伝送路異常であることを示す制御フレームを前記運用系の伝送装置に送信し、前記運用系の伝送装置は、前記予備系の伝送装置から伝送路異常であることを示す制御フレームを受信した場合は前記予備系の伝送装置への切り替え処理を実行しないことを特徴とする。
【００２０】
或いは、前記運用系の伝送装置と前記予備系の伝送装置との間で特定フレームを定期的に送受信して、前記運用系の伝送装置は、前記予備系の伝送装置から前記特定フレームを受信できない場合に予備系の伝送装置の異常と判断し、前記予備系の伝送装置への切り替え処理を実行しないことを特徴とする。
【発明の効果】
【００２１】
本発明に係るアクセスシステムおよび冗長切替方法は、装置異常時に装置の切り替えを実施することにより、ネットワーク停止のリスクを抑制することができる。また、異常状態にある特定セグメントのみの経路を切り替えることにより、他のセグメントに与える影響を少なくすることができる。これにより、ネットワークの信頼性を高めることができる。
【図面の簡単な説明】
【００２２】
【図１】第１実施形態に係るアクセスシステム１００の構成例を示す図である。
【図２】第１実施形態に係るアクセスシステム１００において異常発生時の動作例を示す図である。
【図３】第１実施形態に係るアクセスシステム１００で経路切り替え後の状態を示す図である。
【図４】第１実施形態に係るアクセスシステム１００のＬ２ＳＷ１０２の構成例を示す図である。
【図５】ユーザデータ、特定フレームおよび制御フレームの送受信の様子を示す図である。
【図６】第１実施形態におけるＬ２ＳＷ１０２とＬ２ＳＷ１０３の処理を示すフローチャートである。
【図７】第２実施形態に係るアクセスシステム１００ａの構成例を示す図である。
【図８】第２実施形態に係るアクセスシステム１００ａにおいて異常発生時の動作例を示す図である。
【図９】第２実施形態に係るアクセスシステム１００で迂回経路の形成動作を示す図である。
【図１０】第２実施形態に係るアクセスシステム１００で経路切り替え後の状態を示す図である。
【図１１】第２実施形態におけるＬ２ＳＷ１０２ａとＬ２ＳＷ１０３ａの処理を示すフローチャートである。
【図１２】応用例１における処理を示すフローチャートである。
【図１３】予備系に異常が発生した時の動作を示す図である。
【図１４】運用系と予備系との間で送受信する特定フレームの様子を示す図である。
【図１５】応用例２における処理を示すフローチャートである。
【図１６】従来の回線セレクタ方式の動作例を示す図である。
【図１７】従来のリンクアグリゲーション方式の動作例を示す図である。
【発明を実施するための形態】
【００２３】
以下、本発明に係る「アクセスシステムおよび冗長切替方法」の実施形態について詳しく説明する。
（第１実施形態）
図１は第１実施形態に係るアクセスシステム１００の構成例を示す図である。図１において、アクセスシステム１００は、例えばイーサネット（登録商標）などのネットワーク１０１に接続される運用系のＬ２ＳＷ１０２と、予備系のＬ２ＳＷ１０３とを有する。尚、Ｌ２ＳＷはレイヤ２に対応する伝送装置（スイッチ）の略である。
【００２４】
そして、Ｌ２ＳＷ１０２およびＬ２ＳＷ１０３は冗長系を構成するための同じ機能を有する伝送装置で、ユーザ側の伝送装置（例えばＬ２ＳＷ１０４）の異なるポートに接続されている。図１の例では、Ｌ２ＳＷ１０２に接続するＬ２ＳＷ１０４のポートをポートＡ１（Ｐｏｒｔ−Ａ１）、Ｌ２ＳＷ１０３に接続するＬ２ＳＷ１０４のポートをポートＡ２（Ｐｏｒｔ−Ａ２）とする。但し、運用系のＬ２ＳＷ１０２が正常に動作している場合は、予備系のＬ２ＳＷ１０３の入力ポートはリンクダウン（Ｌｉｎｋｄｏｗｎ）状態になっているので、Ｌ２ＳＷ１０４のポートＡ２はリンクダウンを検出し、ポートＡ１とＬ２ＳＷ１０２との間でユーザデータを送受信する。逆に、Ｌ２ＳＷ１０２の入力ポートがリンクダウン状態にあり、Ｌ２ＳＷ１０３の入力ポートがリンクアップ状態にある場合は、Ｌ２ＳＷ１０４は自動的にポートＡ２を介してＬ２ＳＷ１０３との間でユーザデータを送受信する。これは、ユーザ装置が接続前に例えばＡＲＰ（Ａｄｄｒｅｓｓ  Ｒｅｓｏｌｕｔｉｏｎ  Ｐｒｏｔｏｃｏｌ）によってブロードキャストフレームを送信した場合、Ｌ２ＳＷ１０４はブロードキャストフレームをフラッディングするが、フラッディングできないリンクダウンのポートは除かれるので、リンクアップしているポートを経由した通信路が自動的に確立されるからである。このようにして、Ｌ２ＳＷ１０４から送信されるユーザデータは、Ｌ２ＳＷ１０２またはＬ２ＳＷ１０３でリンクアップしている側の装置を介して送受信される。
【００２５】
図１において、通常はＬ２ＳＷ１０２が運用系として動作し、Ｌ２ＳＷ１０４側から送られてくるユーザデータは、Ｌ２ＳＷ１０２からネットワーク１０１を介して形成される経路１０６により、Ｌ２ＳＷ１０２およびＬ２ＳＷ１０３の対向先であるＬ２ＳＷ１０５に送信される。尚、Ｌ２ＳＷ１０５は、さらに上位のネットワークまたは装置にユーザデータを伝送する。逆に、上位側から送られてくるユーザデータは、Ｌ２ＳＷ１０５からネットワーク１０１を介して経路１０６により、Ｌ２ＳＷ１０２で受信され、さらにユーザ側のＬ２ＳＷ１０５のポートＡ１に出力される。このようにして、ユーザデータはＬ２ＳＷ１０４とＬ２ＳＷ１０５との間で送受信される（矢印２０１）。ここまでの動作は、ユーザデータを１台の装置（Ｌ２ＳＷ１０２）とＬ２ＳＷ１０５との間で送受信するだけなので、従来と同じ動作である。
【００２６】
本実施形態に係るアクセスシステム１００では、Ｌ２ＳＷ１０２およびＬ２ＳＷ１０３と対向先のＬ２ＳＷ１０５との間で周期的に特定フレームを送受信する。特定フレームは、ネットワーク１０１の回線状態や通信先のＬ２ＳＷ１０５の装置状態をチェックするために周期的に送受信されるフレームで、例えばｐｉｎｇやイーサネット（登録商標）ＯＥＭなどの機能が用いられる。尚、特定フレームのフォーマットについては特に限定されず、一般的な宛先アドレスと送信元アドレスとを含むヘッダ部分と、装置状態などの情報を搭載するペイロード部分とを少なくとも含んでいればよい。
【００２７】
図１において、Ｌ２ＳＷ１０２とＬ２ＳＷ１０５との間では経路１０６を介して特定フレームが送受信され（矢印２０２）、Ｌ２ＳＷ１０３とＬ２ＳＷ１０５との間では経路１０７を介して特定フレームが送受信される（矢印２０３）。尚、矢印２０３で送受信される特定フレームによって異常を検出した場合の処理は後の実施形態で説明する。また、矢印２０３の特定フレームの送受信は本実施形態で説明する予備系への切り替え処理には直接関係しない。
【００２８】
さらに、本実施形態に係るアクセスシステム１００において、Ｌ２ＳＷ１０２とＬ２ＳＷ１０３は専用回線１０８で接続され、制御フレームを送受信する。尚、本実施形態に係るアクセスシステム１００では、専用回線１０８で接続しているが、ネットワーク１０１を介して制御フレームを送受信するようにしても構わない。この場合は、ユーザデータを送受信するポートとは異なるポートでネットワーク１０１に接続される。また、制御フレームは、相手のＬ２ＳＷを制御するためのフレームで、例えばポートの有効／無効の切り替えなどの指令を示す要求メッセージや、指令に対する動作が正常に行われたか否かを示す応答メッセージなどで構成される。尚、制御フレームのフォーマットについては特に限定されず、一般的な宛先アドレスと送信元アドレスとを含むヘッダ部分と、要求メッセージや応答メッセージなどの情報を搭載するペイロード部分とを少なくとも含んでいればよい。
【００２９】
図１において、正常時は運用系であるＬ２ＳＷ１０２とＬ２ＳＷ１０５の間の経路１０６でユーザデータの送受信（データ通信）が行われており、ポートＡ１とポートＡ２の間でネットワークループが形成されるのを回避するために、予備系であるＬ２ＳＷ１０３のユーザ側ポートの状態を無効（リンクダウン）にしている。そして、運用系のＬ２ＳＷ１０２が自装置異常または経路１０６の通信路異常を検出した場合、図２（ａ）に示すようにＬ２ＳＷ１０２のユーザ側ポート（Ｌ２ＳＷ１０４のポートＡ１に接続されるポート）の状態を無効にし、運用系のＬ２ＳＷ１０２は予備系のＬ２ＳＷ１０３に対して予備系から運用系に状態を変更するように指示する制御フレームを専用回線１０８を介して送信して（矢印２０４ａ）、Ｌ２ＳＷ１０２は予備系の状態に移行する。
【００３０】
一方、図２（ｂ）に示すように、予備系のＬ２ＳＷ１０３は、運用系のＬ２ＳＷ１０２から運用系への状態変更を指示する制御フレームを受信すると、Ｌ２ＳＷ１０３のユーザ側ポート（Ｌ２ＳＷ１０４のポートＡ２に接続されるポート）の状態を有効（リンクアップ）にする。そして、予備系のＬ２ＳＷ１０３は運用系のＬ２ＳＷ１０２に運用系への状態変更の完了を通知する制御フレームを送信して（矢印２０４ｂ）、運用系の状態に移行する。この結果、図３に示すように、ユーザデータはＬ２ＳＷ１０４のポートＡ２から予備系のＬ２ＳＷ１０３を介してＬ２ＳＷ１０５に送受信される（矢印２０５）。尚、Ｌ２ＳＷ１０４のポートＡ１からポートＡ２への切り替えは、先に説明したように、Ｌ２ＳＷ１０４がポートＡ１のリンクダウンを検出した時に自動的に行われる。
【００３１】
このようにして、運用系のＬ２ＳＷ１０２が装置異常や通信路異常を検出した場合、予備系のＬ２ＳＷ１０３への通信路の切り替えを装置単位で行うので、従来のように装置異常による通信断を回避することができる。
［Ｌ２ＳＷ１０２およびＬ２ＳＷ１０３の構成例］
図４は、Ｌ２ＳＷ１０２の構成例を中心にアクセスシステム１００の全体構成を描いた図である。尚、図１６と同符号のものは同じものを示す。また、Ｌ２ＳＷ１０３についてもＬ２ＳＷ１０２と同様の構成で、それぞれユーザ側の装置（Ｌ２ＳＷ１０４）の異なるポートに接続されている。
【００３２】
図４において、Ｌ２ＳＷ１０２は、ＩＦ部１５１と、ＩＦ部１５２と、スイッチ部（ＳＷ部）１５３と、監視制御部１５４と、監視通信ＩＦ部１５５とを有する。
【００３３】
ＩＦ部１５１は、Ｌ２ＳＷ１０４のポートＡ１に接続されてユーザデータを送受信するための物理的なインターフェースである。また、ＩＦ部１５２は、ネットワーク１０１側との間でユーザデータを送受信するための物理的なインターフェースである。尚、ＩＦ部１５１およびＩＦ部１５２は複数のポートを有し、それぞれ他の装置やネットワークなどに接続される。
【００３４】
ＳＷ部１５３は、ＩＦ部１５１とＩＦ部１５２との間に配置され、送受信されるデータフレームの宛先やフレームの種類（ブロードキャストフレームなど）に応じてＩＦ部１５１およびＩＦ部１５２の入出力ポートが選択される。
【００３５】
監視制御部１５４は、内部に予め記憶されたプログラムに従って動作するＣＰＵで構成され、ＩＦ部１５１やＩＦ部１５２およびスイッチ部１５３の異常の監視および制御を行う。
【００３６】
監視通信ＩＦ部１５５は、ペアとなる冗長系の伝送装置（ここでは、予備系のＬ２ＳＷ１０３）との間に配置された専用回線１０８を介して制御フレームを送受信するための物理的なインターフェースである。
【００３７】
特に、本実施形態に係るアクセスシステム１００では、ユーザ側のＬ２ＳＷ１０４をネットワーク１０１に接続するためのアクセス用の伝送装置に特徴があり、Ｌ２ＳＷ１０２とＬ２ＳＷ１０３の２台の装置で冗長系を構成する。そして、図５に示すように、ユーザ側のＬ２ＳＷ１０４と通信先のＬ２ＳＷ１０５との間で送受信されるユーザデータ（矢印２０１）とは別に、同じ経路でＬ２ＳＷ１０２の監視制御部１５４と通信先のＬ２ＳＷ１０５との間で定期的に特定フレーム（矢印２０２）を送受信する。尚、特定フレームは、Ｌ２ＳＷ１０２およびＬ２ＳＷ１０５のそれぞれから予め決められた時間間隔（例えば１分毎など）で自動的に送信するようにしてもよいし、Ｌ２ＳＷ１０２またはＬ２ＳＷ１０５のいずれかからポーリング方式により特定フレームを要求して送信するようにしてもよい。ここで、特定フレームは、先に説明したように、予め決められた時間間隔内で受信されない場合に、通信路異常または通信相手の装置不良があったものと判断して、冗長系への切り替え処理を開始するためのフレームである。また、冗長系を構成する予備系のＬ２ＳＷ１０３は、ユーザデータを送受信していない場合でもＬ２ＳＷ１０２と同様に通信先のＬ２ＳＷ１０５との間で特定フレームを送受信する（矢印２０３）。
【００３８】
さらに、運用系のＬ２ＳＷ１０２の監視制御部１５４は、監視通信ＩＦ部１５５を介して予備系のＬ２ＳＷ１０３との間で制御フレームを送受信する（矢印２０４）。
【００３９】
このように、運用系のＬ２ＳＷ１０２および予備系のＬ２ＳＷ１０３は構成され、ユーザ側のＬ２ＳＷ１０４のポートＡ１またはポートＡ２を介してユーザデータは通信先のＬ２ＳＷ１０５との間で送受信される。
【００４０】
次に、第１実施形態に係るアクセスシステム１００の処理の流れについて図６のフローチャートを用いて説明する。図６のフローチャートは、運用系のＬ２ＳＷ１０２と予備系のＬ２ＳＷ１０３との処理の流れを示している。尚、各装置で実行する処理は、監視制御部１５４の内部に予め記憶されたプログラムに基づいて実行される。以下、順番に説明する。
【００４１】
（ステップＳ１０１）Ｌ２ＳＷ１０２は運用系の伝送装置として稼動を開始し、図５の矢印２０１で示したように、Ｌ２ＳＷ１０４とＬ２ＳＷ１０５との間でユーザデータの送受信を行う。
【００４２】
（ステップＳ１０２）Ｌ２ＳＷ１０２の監視制御部１５４は、稼動中において、特定フレームをＬ２ＳＷ１０５との間で定期的に送受信する。
【００４３】
（ステップＳ１０３）Ｌ２ＳＷ１０２の監視制御部１５４は、Ｌ２ＳＷ１０５との間の通信路または自装置の異常を検出したか否かを判別する。そして、異常を検出した場合はステップＳ１０４に進み、異常を検出しない場合はステップＳ１０２に戻って特定フレームの送受信を継続して行う。尚、Ｌ２ＳＷ１０５から定期的に特定フレームを受信できない場合は通信路異常と判断し、ＩＦ部１５１、ＩＦ部１５２およびＳＷ部１５３のいずれかからアラームが出力された場合は自装置異常と判断する。
【００４４】
（ステップＳ１０４）Ｌ２ＳＷ１０２の監視制御部１５４は、ユーザ側のＬ２ＳＷ１０４のポートＡ１に接続されているポートを無効にする（Ｌｉｎｋｄｏｗｎ）。
【００４５】
（ステップＳ１０５）Ｌ２ＳＷ１０２の監視制御部１５４は、専用回線１０８を介して運用系への状態変更を指示する制御フレームを予備系のＬ２ＳＷ１０３に送信する。
【００４６】
（ステップＳ１０６）Ｌ２ＳＷ１０２の監視制御部１５４は、専用回線１０８を介して予備系のＬ２ＳＷ１０３から運用系への状態変更完了を通知する制御フレームを受信して、予備系への切り替えが完了したことを確認する。そして、保守者による通信路または装置の保守点検などが行われる。
【００４７】
次に、予備系のＬ２ＳＷ１０３の処理について説明する。
【００４８】
（ステップＳ１５１）Ｌ２ＳＷ１０３の監視制御部１５４は、ユーザ側のＬ２ＳＷ１０４のポートＡ２に接続されているポートを無効にし（Ｌｉｎｋｄｏｗｎ）、予備系として待機する。
【００４９】
（ステップＳ１５２）Ｌ２ＳＷ１０３の監視制御部１５４は、待機中において、定期的に特定フレームをＬ２ＳＷ１０５との間で送受信処理と、ステップＳ１０３のように異常を検出する処理とを実行する（ここでは特定フレーム処理と称する）。そして、異常を検出した場合に、運用系のＬ２ＳＷ１０２に異常を通知する制御フレームを送信する。この場合の実施例については後で詳しく説明するが、ステップＳ１５２の処理を実行しなくても本実施形態で説明する予備系への切り替え動作には直接関係しない。
【００５０】
（ステップＳ１５３）Ｌ２ＳＷ１０３の監視制御部１５４は、Ｌ２ＳＷ１０２から制御フレームを受信したか否かを判別し、受信した場合は次のステップに進み、受信しない場合は待機する。
【００５１】
（ステップＳ１５４）Ｌ２ＳＷ１０３の監視制御部１５４は、ユーザ側のＬ２ＳＷ１０４のポートＡ２に接続されているポートを有効にする（Ｌｉｎｋｕｐ）。
【００５２】
（ステップＳ１５５）Ｌ２ＳＷ１０３の監視制御部１５４は、専用回線１０８を介して運用系のＬ２ＳＷ１０２に対して運用系への状態変更完了を通知する制御フレームを送信する。
【００５３】
（ステップＳ１５６）Ｌ２ＳＷ１０３の監視制御部１５４は、運用系として稼動を開始する。
【００５４】
このようにして、第１実施形態に係るアクセスシステム１００は、運用系のＬ２ＳＷ１０２が装置異常や通信路異常を検出した場合に、予備系のＬ２ＳＷ１０３への通信路の切り替えを装置単位で行うので、装置異常が発生した場合でも通信断を回避でき、信頼性が高く安定した通信環境をユーザに提供することができる。
（第２実施形態）
次に、第２実施形態に係るアクセスシステム１００ａの構成例について図７を用いて説明する。尚、図７において、第１実施形態の図１と同符号のものは同じものを示す。本実施形態に係るアクセスシステム１００ａは、例えばイーサネット（登録商標）などのネットワーク１０１に接続される運用系のＬ２ＳＷ１０２ａと、予備系のＬ２ＳＷ１０３ａとを有する。第１実施形態と異なるのは、ユーザデータがＶＰＮ（Ｖｉｒｔｕａｌ  Ｐｒｉｖａｔｅ  Ｎｅｔｗｏｒｋ）として形成されるＶＬＡＮ（Ｖｉｒｔｕａｌ  ＬＡＮ）毎（セグメント単位）に送受信されることである。
【００５５】
図７において、運用系のＬ２ＳＷ１０２ａは、ユーザ側のＬ２ＳＷ１０４との間でＶＬＡＮ−ＡとＶＬＡＮ−Ｂにより接続される。ＶＬＡＮ−Ａは矢印３０１に示すようにＬ２ＳＷ１０２ａからネットワーク１０１を介してＬ２ＳＷ１０５に接続され、データ通信が行われる。ＶＬＡＮ−Ｂは矢印３０２に示すようにＬ２ＳＷ１０２ａからネットワーク１０１を介してＬ２ＳＷ１０９に接続され、データ通信が行われる。
【００５６】
また、Ｌ２ＳＷ１０２ａおよびＬ２ＳＷ１０３ａはＬ２ＳＷ１０５およびＬ２ＳＷ１０９との間で定期的に特定フレームを送受信している。図７の例において、ＶＬＡＮ−Ａでは、Ｌ２ＳＷ１０２ａとＬ２ＳＷ１０５との間で矢印３０３に示すように特定フレームが送受信され、Ｌ２ＳＷ１０３ａとＬ２ＳＷ１０５との間で矢印３０４に示すように特定フレームが送受信される。ＶＬＡＮ−Ｂでは、Ｌ２ＳＷ１０２ａとＬ２ＳＷ１０９との間で矢印３０５に示すように特定フレームが送受信され、Ｌ２ＳＷ１０３ａとＬ２ＳＷ１０９との間で矢印３０６に示すように特定フレームが送受信される。
【００５７】
このように、本実施形態に係るアクセスシステム１００ａでは、第１実施形態のアクセスシステム１００と同様の動作や処理がＶＬＡＮ単位で行われる。
【００５８】
次に、ＶＬＡＮ−Ａの通信路に異常が発生した場合の動作について説明する。図８に示すように、Ｌ２ＳＷ１０２ａからＬ２ＳＷ１０５までのＶＬＡＮ−Ａの通信路に異常が発生すると、同じＶＬＡＮ−Ａで送受信しているデータ通信（矢印３０１）と特定フレーム（矢印３０３）がＬ２ＳＷ１０２ａとＬ２ＳＷ１０５との間で送受信できなくなる。この場合、Ｌ２ＳＷ１０２ａとＬ２ＳＷ１０９との間のＶＬＡＮ−Ｂは正常に動作しており、ＶＬＡＮ−Ｂで送受信されるデータ通信（矢印３０２）と特定フレーム（矢印３０５）に問題は生じない。
【００５９】
ここで、Ｌ２ＳＷ１０２ａは、Ｌ２ＳＷ１０５から定期的に送信される特定フレームが受信できないので、ＶＬＡＮ−Ａが通信路異常であることを検出する。そして、ＶＬＡＮ−Ａを予備系に切り替えるために、予備系のＬ２ＳＷ１０３ａに接続される専用回線１０８にＶＬＡＮ−Ａのユーザデータを送信する。一方、Ｌ２ＳＷ１０３ａは、専用回線１０８を介して受信するＶＬＡＮ−Ａのユーザデータをネットワーク１０１を介してＬ２ＳＷ１０５に送信する。逆に、Ｌ２ＳＷ１０５から受信するＶＬＡＮ−Ａのユーザデータは、専用回線１０８を介してＬ２ＳＷ１０２ａに送信され、ユーザ側のＬ２ＳＷ１０４を介してユーザ側に出力される（図９の矢印３０１ａに示した迂回経路）。
【００６０】
このように、本実施形態に係るアクセスシステム１００ａは、複数の装置で冗長系を構成しているので、複数のＶＬＡＮでユーザデータを送受信する場合にＶＬＡＮ単位で異常が生じた場合でも、ＶＬＡＮ単位で予備系に迂回経路を形成することができる。尚、本実施形態では、ＶＬＡＮ−Ａに通信路異常がある場合について説明したが、ＶＬＡＮ−Ａに関係する装置異常が生じた場合でも同様に迂回経路を形成して通信断を回避することができる。図１０は、ＶＬＡＮ−Ａを予備系のＬ２ＳＷ１０３ａに切り替えた後の様子を示す図である。図１０において、Ｌ２ＳＷ１０２ａとＬ２ＳＷ１０５との間のＶＬＡＮ−Ａの通信路は使用できないので、専用回線１０８を介してＬ２ＳＷ１０３ａに迂回して、Ｌ２ＳＷ１０３ａからＬ２ＳＷ１０５にＶＬＡＮ−Ａを形成する（矢印３０１ａ）。
【００６１】
次に、第２実施形態に係るアクセスシステム１００ａの処理の流れについて図１１のフローチャートを用いて説明する。図１１のフローチャートは、運用系のＬ２ＳＷ１０２ａと予備系のＬ２ＳＷ１０３ａの処理を示している。尚、各装置で実行する処理は、監視制御部１５４の内部に予め記憶されたプログラムに基づいて実行される。以下、順番に説明する。
【００６２】
（ステップＳ２０１）Ｌ２ＳＷ１０２ａは、運用系の伝送装置として稼動を開始し、Ｌ２ＳＷ１０４とＬ２ＳＷ１０５との間でＶＬＡＮ単位でユーザデータの送受信が行われる。例えば図７の場合は、ＶＬＡＮ−Ａは矢印３０１、ＶＬＡＮ−Ｂは矢印３０２でそれぞれ送受信される。
【００６３】
（ステップＳ２０２）Ｌ２ＳＷ１０２ａの監視制御部１５４は、稼動中において、ＶＬＡＮ単位で定期的に特定フレームをＬ２ＳＷ１０５との間で送受信する。例えば図７の場合はＬ２ＳＷ１０２ａは、ＶＬＡＮ−Ａを矢印３０３の経路で、ＶＬＡＮ−Ｂは矢印３０５の経路でそれぞれ送受信される。同様に、Ｌ２ＳＷ１０３ａは、ＶＬＡＮ−Ａを矢印３０４の経路で、ＶＬＡＮ−Ｂは矢印３０６の経路でそれぞれ送受信される。
【００６４】
（ステップＳ２０３）Ｌ２ＳＷ１０２ａの監視制御部１５４は、ＶＬＡＮ単位でＬ２ＳＷ１０５またはＬ２ＳＷ１０９との間の通信路異常を検出したか否かを判別する。そして、異常を検出した場合はステップＳ２０４に進み、異常を検出しない場合はステップＳ２０２に戻ってＶＬＡＮ単位での特定フレームの送受信を継続して行う。尚、定期的に特定フレームがＬ２ＳＷ１０５から受信できないＶＬＡＮがある場合に当該ＶＬＡＮの通信路異常と判断する。
【００６５】
（ステップＳ２０４）Ｌ２ＳＷ１０２ａの監視制御部１５４は、専用回線１０８を介してユーザ側のＬ２ＳＷ１０４のポートＡ１から出力されるＶＬＡＮ−Ａのユーザデータを予備系のＬ２ＳＷ１０３ａに迂回して出力する（ＶＬＡＮ単位での予備系への切り替え処理）。これにより、ＶＬＡＮ−Ａの予備系への切り替えが完了する。
【００６６】
次に、予備系のＬ２ＳＷ１０３ａの処理の流れについて説明する。
【００６７】
（ステップＳ２５１）予備系のＬ２ＳＷ１０３ａの監視制御部１５４は、ユーザ側のＬ２ＳＷ１０４のポートＡ２に接続されているポートを無効にし（Ｌｉｎｋｄｏｗｎ）、予備系として待機する。
【００６８】
（ステップＳ２５２）Ｌ２ＳＷ１０３ａの監視制御部１５４は、待機中において、定期的にＶＬＡＮ単位で特定フレームをＬ２ＳＷ１０５またはＬ２ＳＷ１０９との間で送受信処理と、ＶＬＡＮ単位での通信路異常や自装置異常の検出を行う処理とを実行する。そして、異常を検出した場合に、運用系のＬ２ＳＷ１０２に異常を通知する制御フレームを送信するようにしてもよい。この場合の実施例については後の実施形態で詳しく説明する。
【００６９】
（ステップＳ２５３）Ｌ２ＳＷ１０３ａの監視制御部１５４から送信されるＶＬＡＮ−Ａのユーザデータは、Ｌ２ＳＷ１０３ａからネットワーク１０１を介してＬ２ＳＷ１０２ａに送信される。
【００７０】
このようにして、第２実施形態に係るアクセスシステム１００ａは、運用系のＬ２ＳＷ１０２ａがＶＬＡＮ単位で通信路異常を検出し、予備系のＬ２ＳＷ１０３ａに迂回して通信先のＬ２ＳＷ１０５との間でユーザデータを送受信することができる。
（応用例１）
次に、第１実施形態および第２実施形態の応用例１について説明する。応用例１では、予備系のＬ２ＳＷ１０３またはＬ２ＳＷ１０３ａで異常を検出した場合に運用系のＬ２ＳＷ１０２またはＬ２ＳＷ１０２ａに異常を検出したことを通知する制御フレームを専用回線１０８を介して送信する。そして、予備系の装置から異常通知を受けた運用系のＬ２ＳＷ１０２またはＬ２ＳＷ１０２ａは、自装置で異常を検出した場合でも、第１実施形態や第２実施形態で説明したような経路の切り替えを行わないようにする。これにより、予備系に異常がある場合に無駄に切り替え動作を行わないようにすることができる。
【００７１】
図１２は、応用例１におけるＬ２ＳＷ１０２（Ｌ２ＳＷ１０２ａ）とＬ２ＳＷ１０３（Ｌ２ＳＷ１０３ａ）の処理を示すフローチャートである。尚、図１２のフローチャートは本応用例１に関係のある処理のみを示してあり、図６および図１１のフローチャートで説明した特定フレームを送受信する処理などは同じである。
【００７２】
（ステップＳ３５１）Ｌ２ＳＷ１０３（Ｌ２ＳＷ１０３ａ）は、通信路異常（或いはＶＬＡＮ単位の通信路異常）や装置異常を検出したか否かを判別し、異常を検出した場合はステップＳ３５２に進む。
【００７３】
（ステップＳ３５２）Ｌ２ＳＷ１０３（Ｌ２ＳＷ１０３ａ）は、運用系のＬ２ＳＷ１０２（Ｌ２ＳＷ１０２ａ）にそれぞれ異常を検出したことを専用回線１０８の制御フレームで通知する。
【００７４】
一方、運用系のＬ２ＳＷ１０２（Ｌ２ＳＷ１０２ａ）は次の処理を実行する。
【００７５】
（ステップＳ３０１）Ｌ２ＳＷ１０３（Ｌ２ＳＷ１０３ａ）から制御フレームで異常通知を受信した運用系のＬ２ＳＷ１０２（Ｌ２ＳＷ１０２ａ）は、自装置側で通信路異常や装置異常を検出した場合でも予備系のＬ２ＳＷ１０３（Ｌ２ＳＷ１０３ａ）に切り替える処理を行わないように設定する。
【００７６】
図１３は、第２実施形態で説明した図７に対応する図である。図１３（ａ）において、運用系のＬ２ＳＷ１０３ａと通信先のＬ２ＳＷ１０５との間でＶＬＡＮ−Ａによるデータ通信が行われ、運用系のＬ２ＳＷ１０３ａと通信先のＬ２ＳＷ１０９との間でＶＬＡＮ−Ｂによるデータ通信が行われている。一方、予備系のＬ２ＳＷ１０３ａと通信先のＬ２ＳＷ１０９との間においても図７で説明したように特定フレームの送受信がＶＬＡＮ−ＡおよびＶＬＡＮ−Ｂのそれぞれについて行われている。ところが、予備系のＶＬＡＮ−Ｂの特定フレームの送受信（矢印３０６）に異常が生じた場合、図１３（ａ）に示すように、Ｌ２ＳＷ１０３ａはＶＬＡＮ−Ｂの通信先であるＬ２ＳＷ１０９から特定フレームを受信できないので、通信路異常を検出する。そして、Ｌ２ＳＷ１０３ａは、図１３（ｂ）に示すように、専用回線１０８を介してＶＬＡＮ−Ｂの通信路異常を検出したことを通知する。これを受けた運用側のＬ２ＳＷ１０２ａは、予備系のＬ２ＳＷ１０３ａへのＶＬＡＮ−Ｂの迂回を行わないように設定する。
【００７７】
このようにして、本応用例では、予備系に異常がある場合に無駄に切り替え動作を行わないようにすることができる。
（応用例２）
次に、第１実施形態および第２実施形態の応用例２について説明する。応用例２では、運用系のＬ２ＳＷ１０２（Ｌ２ＳＷ１０２ａ）と予備系のＬ２ＳＷ１０３（Ｌ２ＳＷ１０３ａ）との間で特定フレームを定期的に送受信する。例えば図１４（ａ）に示すように、運用系のＬ２ＳＷ１０２（Ｌ２ＳＷ１０２ａ）は専用回線１０８を介して特定フレームを矢印４０１ａのように予備系のＬ２ＳＷ１０３（Ｌ２ＳＷ１０３ａ）に、逆に予備系のＬ２ＳＷ１０３（Ｌ２ＳＷ１０３ａ）から特定フレームを矢印４０１ｂのように運用系のＬ２ＳＷ１０２（Ｌ２ＳＷ１０２ａ）に、それぞれ定期的に送信する。
【００７８】
ところが、図１４(ｂ)に示すように、予備系のＬ２ＳＷ１０３（Ｌ２ＳＷ１０３ａ）に装置異常がある場合は、矢印４０１ｂの特定フレームが送信されないので、運用系のＬ２ＳＷ１０２（Ｌ２ＳＷ１０２ａ）は定期的な時間間隔が過ぎても受信できず、予備系のＬ２ＳＷ１０３（Ｌ２ＳＷ１０３ａ）に異常が発生したと判断する。これにより、予備系に異常がある場合に無駄な切り替え動作を行わないようにすることができる。
【００７９】
図１５は、応用例２におけるＬ２ＳＷ１０２（Ｌ２ＳＷ１０２ａ）とＬ２ＳＷ１０３（Ｌ２ＳＷ１０３ａ）との間の処理の流れを示すフローチャートである。尚、図１５のフローチャートは本応用例２に関係のある処理のみを示してあり、図６および図１１のフローチャートで説明した特定フレームを送受信する処理を行うところで図１５の処理を行うようにすればよい。以下、図１５のフローチャートについて説明する。
【００８０】
（ステップＳ４５１）予備系のＬ２ＳＷ１０３（Ｌ２ＳＷ１０３ａ）の監視制御部１５４は、専用回線１０８を介して定期的に特定フレームをＬ２ＳＷ１０２(Ｌ２ＳＷ１０２ａ）との間で送受信する。
【００８１】
一方、運用系のＬ２ＳＷ１０２（Ｌ２ＳＷ１０２ａ）は次の処理を実行する。
【００８２】
（ステップＳ４０１）Ｌ２ＳＷ１０２（Ｌ２ＳＷ１０２ａ）の監視制御部１５４は、専用回線１０８を介して定期的に特定フレームをＬ２ＳＷ１０３(Ｌ２ＳＷ１０３ａ）との間で送受信する。
【００８３】
（ステップＳ４０２）Ｌ２ＳＷ１０２（Ｌ２ＳＷ１０２ａ）の監視制御部１５４は、特定フレームの異常を検出する。特定フレームの異常は、Ｌ２ＳＷ１０３(Ｌ２ＳＷ１０３ａ）から定期的に受信するはずの特定フレームを受信できなかった場合に異常であると判断する。
【００８４】
（ステップＳ４０３）ステップＳ４０２で特定フレームの異常を検出すると、予備系のＬ２ＳＷ１０３（Ｌ２ＳＷ１０３ａ）に問題があると判断し、運用系のＬ２ＳＷ１０２（Ｌ２ＳＷ１０２ａ）は、自装置側で通信路異常や装置異常を検出した場合でも予備系のＬ２ＳＷ１０３（Ｌ２ＳＷ１０３ａ）に切り替える処理を行わないように設定する。
【００８５】
このようにして、本応用例では、予備系に異常がある場合には無駄に切り替え動作を行わないようにすることができる。
【００８６】
以上、各実施形態で説明してきたように、本発明に係るアクセスシステムおよび冗長切り替え方法は、装置異常時に装置の切り替えを実施することによりネットワーク停止のリスクを抑制し、また異常状態にある特定セグメント（ＶＬＡＮなど）だけの経路切り替えを実施することにより他セグメントへの影響を少なくし、ネットワークの信頼性を高めることができる。
【００８７】
特に、本発明に係るアクセスシステムおよび冗長切り替え方法は、イーサネット（登録商標）システムのレイヤー２対応の伝送装置を用いるネットワークにおいて有効である。
【００８８】
尚、本発明に係るアクセスシステムおよび冗長切り替え方法について、各実施例を挙げて説明してきたが、その精神またはその主要な特徴から逸脱することなく他の多様な形で実施することができる。そのため、上述した実施例はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００８９】
１００・・・アクセスシステム
１０１・・・ネットワーク
１０２、１０３、１０４、１０５、１０９・・・Ｌ２ＳＷ
１５１、１５２・・・ＩＦ部
１５３・・・ＳＷ部
１５４・・・監視制御部
１５５・・・監視通信ＩＦ部
１０８・・・専用回線
【図１】
2012231223.tif 000003
【図２】
2012231223.tif 000004
【図３】
2012231223.tif 000005
【図４】
2012231223.tif 000006
【図５】
2012231223.tif 000007
【図６】
2012231223.tif 000008
【図７】
2012231223.tif 000009
【図８】
2012231223.tif 000010
【図９】
2012231223.tif 000011
【図１０】
2012231223.tif 000012
【図１１】
2012231223.tif 000013
【図１２】
2012231223.tif 000014
【図１３】
2012231223.tif 000015
【図１４】
2012231223.tif 000016
【図１５】
2012231223.tif 000017
【図１６】
2012231223.tif 000018
【図１７】
2012231223.tif 000019